(57)【特許請求の範囲】
【請求項１】
下部開口部にフランジ部を有する照明器具本体の両側部に、回動自在の支持アームと、該支持アームの下方に位置し、その上部付近で該支持アームの下部付近を回動自在に軸支持する固定片とを備えた取付具を設け、前記照明器具本体を天井板の取付開口穴から挿入して前記支持アームと前記フランジ部とにより前記天井板を挾持して前記照明器具本体を天井板に取り付ける埋込形照明器具において、
前記支持アームをほぼく字状に形成して前記照明器具本体の外面に沿って保持しておき、前記照明器具本体を天井板の取付開口穴に挿入する際に、前記支持アームに支持され該支持アームとほぼ直交して外方に突設し該支持アームと共に回動する当て片を、前記天井板の下面に圧接させて前記支持アームの外側下方への回動を誘起させ、さらに前記支持アームを外側下方に付勢させて前記支持アームとフランジ部とによって前記天井板を挾持するようにした埋込形照明器具であって、
両端部を前記支持アームの長手方向両側に設けた長穴に挿通して嵌合するスライド片を設けると共に、一端を該スライド片に係止し他端を前記固定片に係止する弾性部材を設け、前記スライド片は前記支持アームが回動する際に該支持アームの長穴に沿って滑動するようにし、前記照明器具本体を天井の取付開口穴に挿入する前は、前記支持アームは弾性部材によって照明器具本体方向の下方に付勢されており、前記照明器具本体を天井の取付開口穴に挿入するときは、前記支持アームの外側方向への回動時のある位置を境にして、前記弾性部材の付勢力が、前記照明器具本体の内側方向から外側方向の下方に反転し、前記弾性部材によって前記支持アームが照明器具本体の外側方向の下方に付勢されるようにしたことを特徴とする埋込形照明器具。
【請求項２】
前記当て片を前記支持アームの回動軸付近に軸支すると共に、該当て片を前記支持アームの下面部とほぼ直交する位置から前記支持アーム方向にのみ回動できるように構成したことを特徴とする請求項１記載の埋込形照明器具。
【請求項３】
前記当て片をほぼ中央部付近から前記支持アーム面方向に折り曲げたことを特徴とする請求項１又は２記載の埋込形照明器具。
【請求項４】
前記支持アームの下端部に該支持アームと一体に回動する当て片を設けたことを特徴とする請求項１，２又は３の何れかに記載の埋込形照明器具。
【請求項５】
前記支持アームの先端部に緩衝部材を取り付けたことを特徴とする請求項１，２，３又は４のいずれかに記載の埋込形照明器具。
【請求項６】
固定片の両側を該固定片の面とほぼ直角に外側方向に折り曲げてフランジ部を形成し、該フランジ部の幅を照明器具本体の開口部方向に向かってテーパ状に広がるように構成したことを特徴とする請求項１，２，３，４又は５のいずれかに記載の埋込形照明器具。
【発明の詳細な説明】
【０００１】
【発明の属する技術分野】
本発明は、天井に設けた取付開口穴から天井内に埋め込んで取付ける取付金具を備えた埋込形照明器具に係り、より詳しくは、天井の取付開口穴に照明器具本体を挿入するだけでワンタッチで取付けることができる省施工性の埋込形照明器具に関するものである。
【０００２】
【従来の技術】
図８は、例えば特公昭６３−２９３６２号公報に開示された従来の埋込形照明器具の一例を示す斜視図である。１は天井に設けられた取付開口穴に挿入して取付けられる照明器具本体、２は照明器具本体１に取付けられたコ字状の支持部で、両側片の下端部には外方に折曲げられた係止縁３，３が設けられている。４，４は支持部２の両側片に設けられ上下方向に回動自在の支持アーム、５，５は支持アーム４，４を下方に付勢するスプリングである。
【０００３】
上記のように構成した従来の埋込形照明器具の作用を説明する。まず、照明器具を天井に取付けるときに、照明器具本体１の両側に設けられた支持アーム４，４をスプリング５，５に抗して上方に回動し、この状態で照明器具本体１を天井の取付開口穴に支持アーム４，４の先端部から挿入すると、支持アーム４，４はスプリング５，５に付勢されて下方向に回動し、支持アーム４，４と係止縁３，３とによって天井板を挾持する。
【０００４】
【発明が解決しようとする課題】
上記のように構成した従来の埋込型照明器具によれば、照明器具本体１を天井の取付開口穴に挿入するときに、照明器具本体１の両側に位置する支持アーム４，４をスプリング５，５の付勢力に抗して上方に回動し、その状態を両手で保持しながら、天井の取付開口穴に挿入しなければず、取り付けに手間がかかるうえ、取付けた後においても、取り付けが不安定でずれが生じたりする等の問題があった。
本発明は上記のような課題を解決するためになされたもので、取付け前に取り付け金具をあらかじめ操作しなくても照明器具本体を天井の取付開口穴に挿入するだけで簡単に取付けが完了し、片手でもワンタッチで取付けでき、しかも、取り付けが正確で、取り付け時の天井へ衝撃も緩衝でき、しかも部品数も削減したコストのかからない埋込形照明器具を得ること目的とする。
【０００５】
【課題を解決するための手段】
本発明にかかる埋込形照明器具は、次のように構成したものである。
（１）  下部開口部にフランジ部を有する照明器具本体の両側部に、回動自在の支持アームと、該支持アームの下方に位置し、その上部付近で該支持アームの下部付近を回動自在に軸支持する固定片とを備えた取付具を設け、前記照明器具本体を天井板の取付開口穴から挿入して前記支持アームと前記フランジ部とにより前記天井板を挾持して前記照明器具本体を天井板に取り付ける埋込形照明器具において、
前記支持アームをほぼく字状に形成して前記照明器具本体の外面に沿って保持しておき、前記照明器具本体を天井板の取付開口穴に挿入する際に、前記支持アームに支持され該支持アームとほぼ直交して外方に突設し該支持アームと共に回動する当て片を、前記天井板の下面に圧接させて前記支持アームの外側下方への回動を誘起させ、さらに前記支持アームを外側下方に付勢させて前記支持アームとフランジ部とによって前記天井板を挾持するようにした埋込形照明器具であって、
両端部を前記支持アームの長手方向両側に設けた長穴に挿通して嵌合するスライド片を設けると共に、一端を該スライド片に係止し他端を前記固定片に係止する弾性部材を設け、前記スライド片は前記支持アームが回動する際に該支持アームの長穴に沿って滑動するようにし、前記照明器具本体を天井の取付開口穴に挿入する前は、前記支持アームは弾性部材によって照明器具本体方向の下方に付勢されており、前記照明器具本体を天井の取付開口穴に挿入するときは、前記支持アームの外側方向への回動時のある位置を境にして、前記弾性部材の付勢力が、前記照明器具本体の内側方向から外側方向の下方に反転し、前記弾性部材によって前記支持アームが照明器具本体の外側方向の下方に付勢されるようにしたものである。
【０００７】
（２）  上記（１）の埋込形照明器具において、当て片を支持アームの回動軸付近に軸支すると共に、当て片を支持アームの下面部とほぼ直角位置から支持アーム方向にのみ回動できるように構成したものである。
（３）  上記（１）又は（２）の埋込形照明器具において、当て片をほぼ中央部付近から支持アーム面方向に折り曲げて構成したものである。
（４）  上記（１），（２）又は（３）の何れかの埋込形照明器具において、支持アームの下端部に支持アームと一体に回動する当て片を設けたものである。
【０００８】
（５）  上記（１），（２），（３）又は（４）の埋込形照明器具において、前記支持アームの先端部に緩衝部材を取り付けたものである。
（６）  上記（１），（２），（３），（４）又は（５）の埋込形照明器具において、固定片の両側を固定片の面とほぼ直角に外側方向に折り曲げてフランジ部を形成し、フランジ部の幅を照明器具本体の開口部方向に向かってテーパー状に広がるように構成したものである。
【０００９】
【発明の実施の形態】
実施形態１
図１は本発明の第１の実施形態の斜視図、図２は天井へ取付けた状態を示す正面図である。１０はほぼ傘状をなし下部に開口部を有し側部に取付金具を有する照明器具本体で、内部に反射鏡１１とランプ１２を備え、下部開口部の周囲には外側に向かって張り出したフランジ部１３を有している。
１４，１４は照明器具本体１０の両側部に固定された断面ほぼコ字状の固定片で、その下部はフランジ部１３に接触するようにして取付けられている。そして、固定片１４の上部にはほぼ長方形状の切欠部１４ａとその両側に腕部１４ｂ，１４ｂを有し、両腕部１４ｂ，１４ｂの最上部には相互に反対方向（図の外側方向）に折り曲げられた回動支持部１４ｃ，１４ｃが設けられている。１４ｄ，１４ｄは固定片１４の長手方向（図の上下方向）の両側面に設けられたフランジ面で、固定片１４の面に対してほぼ直角に外側方向に向けて折り曲げられている。なお、このフランジ面１４ｄ，１４ｄは、図の上方から下方に向かって幅が広くなっていくテーパ状に形成され、天井の取付開口穴に照明器具本体１０を取り付けたとき、照明器具本体１０の位置がズレないようになっている。
【００１０】
１５，１５は上面部１５ａと下面部１５ｂとによってほぼく字状に形成された支持アームで、表面部（照明器具本体１０方向に位置する面部）の折曲げ部が照明器具本体１０の側面に接触するようにして配置してある。１５ｃは支持アーム１５の先端部で、裏面部（照明器具本体１０と逆方向に位置する面部）側に湾曲させて折り曲げてある。１５ｄ，１５ｄは支持アーム１５の長手方向（図の上下方向）の両側をほぼ直角に裏面方向に折り曲げて形成されたフランジ部である。そして、このフランジ部１５ｄ，１５ｄは、支持アーム１５の先端部１５ｃから根元部に向かって（図の上方から下方に向かって）幅が広くなっていくテーパ状に形成され、その根元部付近にはそれぞれ回動支持穴１５ｅ，１５ｅが設けられ、この回動支持穴１５ｅ，１５ｅには固定片１４の回動支持部１４ｃ，１４ｃが嵌合され、回動支持部１４ｃ，１４ｃを軸として支持アーム１５が上下方向に自在に回動しうるようになっている。
【００１１】
１６，１６は支持アーム１５の両フランジ部１５ｄ，１５ｄの下部に設けられた当て片停止部で、フランジ部１５ｄ，１５ｄの下面部１５ｂに対してそれぞれがほぼ直角で外側に向かうように形成されている。
１７はぼぼコ字状に形成された可動当て片で、その両端根元部を内側方向（互いに向かいあう方向）に折り曲げて、支持アーム１５のフランジ部１５ｄ，１５ｄに設けた回動支持穴１５ｅ，１５ｅに固定片１４の回動支持部１４ｃ，１４ｃと一緒に嵌合し、回動支持穴１５ｅ，１５ｅを軸として回動できるようにしてある。なお、可動当て片１７の両端根元部は、支持アーム１５のフランジ部１５ｄ，１５ｄの根元部付近に回動支持穴１５ｅ，１５ｅとは別個に回動穴を設け、この嵌合穴に嵌合し、これを軸として回動できるようにしてもよい。
【００１２】
そして、この可動当て片１７は、支持アーム１５に設けた当て片停止部１６，１６によって、支持アーム１５の下面部１５ｂとほぼ直角の位置でその下方向への回動が阻止されるようになっている。
また、この可動当て片１７の根元部から先端部までの長さは、支持アーム１５に設けられた当て片停止部１６，１６によって下方向への回動を阻止された状態で、照明器具本体１０を天井板の取付開口穴に挿入したときに、可動当て片１７の先端部が天井板下面に十分に圧接するだけの長さが必要である。なお、可動当て片１７の根元部から先端部までの長さを大きくすることによって、可動当て片１７の天井板下面に圧接する力があまり大きくなくても、支持アーム１５の当て片停止部１６，１６に回動に必要なだけの力が加わるようにすることができる。
【００１３】
１８，１８は支持アーム１５のフランジ部１５ｄ，１５ｄの回動支持穴１５ｅ，１５ｅの上部付近に設けられた長穴で、支持アーム１５の長手方向（下面部１５ｂの面に平行な方向）に形成されている。
１９は両端部を長穴１８，１８に挿通し、支持アーム１５の表面側に折り曲げて嵌合させたスライド片で、支持アーム１５が回動する際に、このスライド片１９が長穴１８，１８に沿って滑動し、スプリング（後述）の負荷を軽減する。
【００１４】
２０，２０はスプリングで、一端をスライド片１９，１９の中央部付近に係止させ、他端を固定片１４の両腕部１４ｂ，１４ｂの基部付近に係止させてある。そして、照明器具本体１０を天井の取付開口穴に挿入する前は、図１に示すように、支持アーム１５はスプリング２０によって照明器具本体１０方向（支持アーム１５の表面方向）の下方に付勢されており、支持アーム１５の先端部１５ｃは上方に向いて、天井の取付開口穴に挿入できる状態となっている。一方、支持アーム１５の外側方向への回動時のある位置を境にして、スプリング２０の付勢力が、照明器具本体１０の内側方向から外側方向（支持アーム１５の裏面方向）の下方に反転し、スプリング２０によって支持アーム１５が照明器具本体１０の外側方向の下方に付勢されるようになっている。
なお、スプリング２０は、固定片１４に設けた切欠部１４ａによって、図１のように、支持アーム１５の表面が照明器具本体１０の側面に接触している状態であっても、スプリング２０の移動、伸縮が妨害されないようになっている。
【００１５】
上記のように構成した本実施形態の作用を説明する。照明器具本体１０を天井に取付ける前は、図１に示すように、支持アーム１５は照明器具本体１０の表面に沿った形で保持されており、スプリング２０によって照明器具本体１０の内側下方向に付勢されている。そして、可動当て片１７は支持アーム１５の下面部１５ｂにほぼ直交した状態で保持されている。
この状態で、図２に示すように、照明器具本体１０を天井２１の取付開口穴２２に挿入すると、可動当て片１７は天井２１の取付開口穴２２よりも横方向に突出しているため、先端部付近から天井板下面２３に圧接される。そして、可動当て片１７が圧接されるにつれて支持アーム１５の当て片停止部１６，１６にも下方向の力が加わるので、支持アーム１５の外側下方向への回動が誘起され、支持アーム１５は回動支持穴１５ｅ，１５ｅを軸として図３に示すように照明器具本体１０の外側下方向に回動する。
【００１６】
こうして、支持アーム１５は回動支持穴１５ｅ，１５ｅを軸として照明器具本体１０の外側下方向に回動するが、回動時のある位置を境にして、スプリング２０の付勢力が、照明器具本体１０の内側方向（支持アーム１５の表面方向）の下方から外側方向（支持アーム１５の裏面方向）の下方に反転し、支持アーム１５はスプリング２０によって外側下方に付勢される。
このとき、スプリング２０の一端が係止しているスライド片１９は、スプリング２０の付勢力によって支持アーム１５のフランジ部１５ｄ，１５ｄに設けられた長穴１８，１８の一端（図３の破線部）から長穴１８，１８沿って滑動し、他端（図３の実線部）まで移動して停止する。これにより、スプリング２０の一端が移動して負荷が軽減され、必要以上にスプリング２０を伸長させることなく、応力の限界を越えないようにしてある。
こうして、支持アーム１５が照明器具本体１０の外側下方に回動すると、可動当て片１７は天井板下面２３との当接を解除され、可動当て片１７の自重によって下方向に回動してフリーとなり、照明器具本体１０の側面を押圧することはない。
【００１７】
このようにして、スライド片１９は、図３に示すように、破線で示した位置から実線で示した位置に移動し、下方向に付勢された支持アーム１５の先端部１５ｃと照明器具本体１０のフランジ部１３とによって天井板２１を挾持し、照明器具本体１０の取り付けを完了する。
従って、本実施形態によれば、照明器具本体１０を天井板２１の取付開口穴２２に挿する際、可動当て片１７が天井板下面２３に圧接されて支持アーム１５に下方向の力が作用するようにしたので、従来のように取付け前に取り付けのための事前作業が不要になり、照明器具本体１０を天井板２１の取付開口穴２２に挿入するだけでワンタッチで取り付けることができる。このため、照明器具の取り付け操作が容易かつ簡素化され、取り付け時間を大幅に短縮することができる。
【００１８】
また、支持アーム１５が回動すると、スライド片１９はスプリング２０の弾性力によって移動するので、スプリング２０に大きな負荷を与えないため、弾性力に影響を与えず、照明器具本体１０をスプリング２０の付勢力によって確実に天井板２１を挾持できる。
さらに、固定片１４の両側面にフランジ面１４ｄ，１４ｄを設け、上方から下方に広がるテーパ形状に形成したので、照明器具本体１０と天井板２１の取付開口穴２２周縁部との間隙を一定に保持でき、照明器具本体１０取付け時のズレを防止することができる。
【００１９】
実施形態２
図４は本発明の第２の実施形態の側面図である。本実施形態では、第１の実施形態で示した支持アーム１５の先端部１５ｃに緩衝部材２４を取付けたもので、支持アーム１５が回動して天井板２１に衝突するときの衝撃力を緩和する。
上記のように構成した本実施形態では、照明器具本体１０を天井板２１の取付開口穴２２に挿入すると、第１の実施形態で示した場合と同様に、可動当て片１１７の先端部付近が天井板下面２３に圧接され、支持アーム１５が回動支持穴１５ｅ，１５ｅを軸として照明器具本体１０の外側下方向に回動する。この際のスプリング２０やスライド片１９の作用は第１の実施形態で説明した場合と同様である。
【００２０】
こうして、支持アーム１５は、スプリング２０によって破線で示した位置から実線で示した位置に回動し、支持アーム１５の先端部１５ｃと照明器具本体１０のフランジ部１３とによって天井面２１を挾持する。この際、支持アーム１５の先端部１５ｃに取付けられた緩衝部材２４によって、支持アーム１５の先端部１５ｃは衝撃力が緩和された状態で天井板２１に衝突する。
従って、本実施形態によれば、照明器具本体１０を天井板２１の取付開口穴２２に挿入するだけでワンタッチで取り付けることができ、照明器具の取り付け操作が容易かつ簡素化され、取り付け時間を大幅に短縮することができる。
そのうえ、支持アーム１５の先端部１５ｃに緩衝部材２４が取り付けられているので、支持アーム１５が回動して天井板２１に衝突するときの衝撃力が緩和される。
【００２１】
実施形態３
図５は本発明の第３の実施形態の側面図である。第１の実施形態では、可動当て片１７によって形成される面は支持アーム１５の当て片停止部１６により下面部１５ｂとほぼ直角方向に形成した面（以下、直角面という）上にあるが、本実施形態では可動当て片１７の先端部が直角面の位置よりも上方（支持アーム１５の先端部１５ｃ側）に位置するようにして、照明器具本体１０を天井板２１の取付開口穴２２に挿入する際に可動当て片１７の先端部が早期に天井板２１に接触するようにしたものである。すなわち、可動当て片１７を、図５の実線に示すように、ほぼ中央部付近から上方に折り曲げてほぼ逆く字状に形成したものである。
【００２２】
上記のように構成した本実施形態では、照明器具本体１０を天井板２１の取付開口穴２２に挿入すると、可動当て片１７の上方に折れ曲がった部分の先端部が天井板下面２３に早期に圧接され、このため支持アーム１５が照明器具本体１０の外側下方向に早期に回動する。この際のスプリング２０やスライド片１９の作用は、第１の実施形態で説明した場合と同様である。
こうして、支持アーム１５は、スプリング２０の付勢力によって、実線で示した位置から下方向に回動して破線で示した位置に移動し、支持アーム１５の先端部１５ｃと照明器具本体１０のフランジ部１３とによって天井板２１を挾持する。
【００２３】
従って、本実施形態によれば、照明器具本体１０を天井板２１の取付開口穴２２に挿入するだけでワンタッチで取り付けることができ、照明器具の取り付け操作が容易かつ簡素化され、取り付け時間を大幅に短縮することができる。
そのうえ、可動当て片１７をほぼ逆く字状に折り曲げて早期に天井板２１に圧接されるようにしたので、支持アーム１５が早期に外側下方向に付勢され、このため天井板２１上面に当接するまでの支持アーム１５の回転範囲を減少することができ、支持アーム１５の天井板２１への衝撃力を緩和することができる。
【００２４】
実施形態４
図６は本発明の第４の実施形態を示す側面図である。第１の実施形態では、照明器具本体１０の内側に反射鏡等が設けられていてスペースの制約があるので、可動当て片１７を回動自在に構成し、支持アーム１５が回動し終わった後に照明器具本体１０の側面に当接してこれを押圧しないように、支持アーム１５とは別部材として構成してある。これに対し、本実施形態では、当て片と支持アーム１５とを一体に構成し、支持アーム１５に当て片の機能を併有させたものである。
【００２５】
すなわち、本実施形態では、支持アーム１５の下部付近に下面部１５ｂとほぼ直角に突設部である固定当て片１７ａを設けて、この固定当て片１７ａ自体に第１の実施形態で示した可動当て片１７の機能を持たせたものである。この場合、固定当て片１７ａの長さは、照明器具本体１０を天井板２１の取付開口穴２２に挿入したときに、支持アーム１５の固定当て片１７ａの先端部が天井板下面２３に圧接して支持アーム１５の回動を誘起できる長さに構成する。同時に、支持アーム１５を回動に支障のない長さに形成し、かつ、支持アーム１５の先端部１５ｃと照明器具本体１０のフランジ部１３とによって天井板２１が挾持されたとき、固定当て片１７ａの先端部が照明器具本体１０の側面に当接しない長さに形成する。
【００２６】
上記のように構成した本実施形態によれば、図６に示すように、照明器具本体１０を天井板２１の取付開口穴２２に挿入すると、固定当て片１７ａの先端部が天井板下面２３に圧接される。このため、支持アーム１５に外側下方向の力が加わり、支持アーム１５は回動支持穴１５ｅ，１５ｅを軸として照明器具本体１０の外側下方向に回動する。この際のスプリング２０やスライド片１９の作用は第１の実施形態で説明した場合と同様である。
こうして、支持アーム１５は、実線で示した位置から破線で示した位置に移動して、支持アーム１５の先端部１５ｃと照明器具本体１０のフランジ部１３によって天井板２１を挾持し、取り付けを完了する。
【００２７】
従って、本実施形態によれば、照明器具本体１０を天井板２１の取付開口穴２２に挿入するだけでワンタッチで取り付けることができ、照明器具の取り付け操作が容易かつ簡素化され、取り付け時間を大幅に短縮することができる。
そのうえ、固定当て片１７ａが支持アーム１５と一体に形成されているので、固定当て片１７ａを支持アーム１５と別個に設ける必要がなく、部品削減ができると共に、構造が簡単で組み立て時間を短縮することができる。
【００２８】
実施形態５
図７は本発明の第５の実施形態の側面図である。第１の実施形態では、支持アーム１５に滑動自在に嵌合したスライド片１９はスプリング２０の負荷を軽減するために可動するが、本実施形態ではスプリング２０の一端を支持アーム１５に直接係止させるようにしたものである。
すなわち、本実施形態では第１の実施形態で示したスライド片１９と長穴１８，１８を設けず、スプリング２０の一端を支持アーム１５の下部付近に直接係止させ、他端を固定片１４の両腕部１４ｂ，１４ｂの基部付近に係止させる。ただし、このようにスプリング２０の両端を固定しても、スプリング２０の弾性限界を超えない範囲内であることを条件とする。
【００２９】
従って、本実施形態によれば、照明器具本体１０を天井板２１の取付開口穴２２に挿入するだけでワンタッチで取り付けることができ、照明器具の取り付け操作が容易かつ簡素化され、取り付け時間を大幅に短縮することができる。
そのうえ、スプリング２０の一端を支持アーム１５の下端部付近に直接係止させ、他端を固定片１４の両腕部１４ｂ，１４ｂの基部付近に係止させたので、スライド片１９等を設ける必要がなく、部品を削減ができると共に、構造が簡単で製品の組み立て時間を短縮することができる。
【図面の簡単な説明】
【図１】  本発明の第１の実施形態の斜視図である。
【図２】  図１の作用説明図である。
【図３】  図１の作用説明図である。
【図４】  本発明の第２の実施形態の側面図である。
【図５】  本発明の第３の実施形態の側面図である。
【図６】  本発明の第４の実施形態の側面図である。
【図７】  本発明の第５の実施形態の側面図である。
【図８】  従来の埋込形照明器具の一例を示す斜視図である。
【符号の説明】
１０  照明器具本体、  １３  フランジ部、１４  固定片、１４ｂ  回動支持部、１４ｄ  フランジ面、１５  支持アーム、１７  可動当て片、１７ａ  固定当て片、１８  長穴、１９  スライド片、２０  スプリング、２１  天井板、２４  緩衝部材。
【図１】
0003684484.tif 000002
【図２】
0003684484.tif 000003
【図３】
0003684484.tif 000004
【図４】
0003684484.tif 000005
【図５】
0003684484.tif 000006
【図６】
0003684484.tif 000007
【図７】
0003684484.tif 000008
【図８】
0003684484.tif 000009